(57)【特許請求の範囲】
【請求項１】
紙葉類処理装置に用いられる紙葉類収納庫であって、
紙葉類を載せて昇降移動する第１紙葉類支持部材と、
前記第１紙葉類支持部材の下方位置に設けられており、側板によって前記第１紙葉類支持部材と一体であり、紙葉類を保留できる保留部を前記第１紙葉類支持部材と協働して形成する第２紙葉類支持部材と、
前記第１紙葉類支持部材の上方位置に設けられており所定の圧力で押圧された紙葉類を回転によって繰り出す繰出ローラと、
前記保留部へ紙葉類を導入する紙葉類導入手段と、
前記第１紙葉類支持部材及び前記第２紙葉類支持部材を通り抜けて昇降移動できる紙葉類移送手段と、を有しており、
前記紙葉類を収納する紙幣収納部が前記第１紙葉類支持部材を底面として設けられており、
前記第１紙葉類支持部材及び前記第２紙葉類支持部材は、前記保留部の下方位置から前記第１紙葉類支持部材及び前記第２紙葉類支持部材に対して相対的に上昇する前記紙葉類移送手段によって移送される紙葉類の移動を許容でき、
前記第１紙葉類支持部材は当該第１紙葉類支持部材の上方位置から降下する前記紙葉類移送手段と共に降下する紙葉類を受け取って支持でき、さらに、
前記保留部に紙葉類が保留されている状態で、前記第１紙葉類支持部材は、当該第１紙葉類支持部材上に載っている紙葉類を前記繰出ローラへ向けて移動させ、さらに当該紙葉類を繰り出しに必要となる圧力で前記繰出ローラに押圧する
ことを特徴とする紙葉類処理装置の紙葉類収納庫。
【請求項２】
前記第１紙葉類支持部材は、紙葉類の両側辺を支持できる間隔をもって互いに離れて配置されており、
前記紙葉類移送手段は、前記間隔を通り抜けて移動できる
ことを特徴とする請求項１記載の紙葉類処理装置の紙葉類収納庫。
【請求項３】
前記第１紙葉類支持部材は、
外部からの負荷が加わらない状態において前記間隔をもって離れた水平位置にあり、この状態で紙葉類を受け取って支持でき、
上方へ向かう負荷を受けたときには前記間隔が広がるように、上方へ向かって開き移動することにより、紙葉類の移動を許容できる
ことを特徴とする請求項２記載の紙葉類処理装置の紙葉類収納庫。
【請求項４】
前記第１紙葉類支持部材及び前記第２紙葉類支持部材によって形成された前記保留部に保留されている紙葉類を外部へ取り出すことができる開口及びそれを覆う扉をさらに有しており、
前記第１紙葉類支持部材及び前記第２紙葉類支持部材は、
前記保留部から紙葉類を前記扉を開いた状態の前記開口を通して外部へ取り出すことを許容する位置と、
前記保留部から紙葉類を前記扉を開いた状態の前記開口を通して外部へ取り出すことを前記側板によってできないようにする位置と、
を選択的にとることができる
ことを特徴とする請求項１から請求項３のいずれか１つに記載の紙葉類処理装置の紙葉類収納庫。
【請求項５】
請求項１から請求項４のいずれか１つに記載の紙葉類収納庫を有することを特徴とする紙葉類処理装置。
【発明の詳細な説明】
【技術分野】
【０００１】
本発明は、紙幣、カード等といった紙葉類に対して搬送、情報読取り、収納、待機、繰出し等といった各種の処理を行う装置である紙葉類処理装置に関する。
【背景技術】
【０００２】
近年、種々の分野において券売機が利用されている。券売機は、購入者による有価紙葉類の投入に応じて所定の有価券を発行する機械である。例えば、交通機関で使用する定期券の購入を券売機を通じて行うことができる。定期券は高価であるので、定期券の購入にあたっては複数枚の高額紙幣が取り扱われることが多い。また、近年、交通系ＩＣカードの普及により、券売機においては、券の購入だけでなく、ＩＣカードへのチャージ処理が行われることもある。
【０００３】
一般に、券売機は、硬貨処理装置、紙幣処理装置、印刷装置、カード処理装置、制御部、接客部等といった構成装置によって構成されている。本発明に係る紙葉類処理装置は、例えば、券売機において紙幣処理装置、カード処理装置等といった処理装置として用いられている。
【０００４】
従来、紙葉類処理装置として特許文献１に開示されたものが知られている。特許文献１に示された紙葉類処理装置は紙幣収容手段を有しており、この紙幣収容手段は、紙幣を収納する役割と、返却等のために紙幣を保留する役割と、保留されていた紙幣を一括して返却する役割との３つの役割を有している。このように１つの紙幣収容手段が３つの異なった役割を備えているので、特許文献１に開示された紙葉類処理装置は小型に形成できるという長所を有している。
【先行技術文献】
【特許文献】
【０００５】
【特許文献１】特開平７−２２３７７７号公報（第７〜９頁、図１，２）
【発明の概要】
【発明が解決しようとする課題】
【０００６】
特許文献１に開示された従来の紙葉類処理装置においては、装置の小型化を実現するために、保留部、収納部、及び繰出部の全てを収納庫内に設けると共に、繰出部は保留部に保留されている状態の紙幣を外部へ繰り出す構成となっていた。つまり、保留部と繰出部とで紙幣を置いておく場所が共通となっていた。この構成では、保留すべき紙幣を保留部に保持した状態では、収納部に収納されている紙幣を繰出部から繰り出すことができない。これを回避するため、特許文献１の装置では次の２通りの操作を行っていた。
【０００７】
１つは、保留すべき紙幣を保留部から別の場所へ一時的に退避のために移動させた上で、収納部内の紙幣を繰出部から外部へ繰り出していた。他の１つは、保留のために保留部に置いておいた紙幣を収納部へ収納してしまい、その後に収納部内の紙幣を繰出部から外部へ繰り出していた。上記のいずれの場合でも、紙幣を保留部へ置いたままでは、収納部内の紙幣を繰出部から外部へ繰り出すことができなかった。
【０００８】
保留部にあった紙幣を退避のために他の場所へ移動する方法においては、保留部以外の退避場所を確保しなければならないこと、及び紙幣を搬送するための制御が複雑になること、等といった問題があった。
また、保留していた紙幣を収納部へ収納してから繰出し処理を行う方法においては、現金トラブル時の対応が出来なくなるという問題があった。
【０００９】
本発明は、従来装置における上記の問題点に鑑みて成されたものであって、保留すべき紙幣を保留状態に置いたままで収納部に収納されている紙幣を繰出部から外部へ繰り出すことを可能とすることにより、紙幣の保留処理の確実化、紙幣の搬送制御が複雑になることの防止、及び紙幣の処理時間の短縮化のそれぞれを達成できる紙葉類処理装置を提供することを目的とする。
【課題を解決するための手段】
【００１０】
本発明に係る紙葉類処理装置の紙葉類収納庫は、紙葉類処理装置に用いられる紙葉類収納庫であって、紙葉類を載せて昇降移動する第１紙葉類支持部材と、前記第１紙葉類支持部材の下方位置に設けられており、側板によって前記第１紙葉類支持部材と一体であり、紙葉類を保留できる保留部を前記第１紙葉類支持部材と協働して形成する第２紙葉類支持部材と、前記第１紙葉類支持部材の上方位置に設けられており所定の圧力で押圧された紙葉類を回転によって繰り出す繰出ローラと、前記保留部へ紙葉類を導入する紙葉類導入手段と、前記第１紙葉類支持部材及び前記第２紙葉類支持部材を通り抜けて昇降移動できる紙葉類移送手段とを有しており、前記紙葉類を収納する紙幣収納部が前記第１紙葉類支持部材を底面として設けられており、前記第１紙葉類支持部材及び前記第２紙葉類支持部材は、前記保留部の下方位置から前記第１紙葉類支持部材及び前記第２紙葉類支持部材に対して相対的に上昇する前記紙葉類移送手段によって移送される紙葉類の移動を許容でき、前記第１紙葉類支持部材は当該第１紙葉類支持部材の上方位置から降下する前記紙葉類移送手段と共に降下する紙葉類を受け取って支持でき、さらに、前記保留部に紙葉類が保留されている状態で、前記第１紙葉類支持部材は、当該第１紙葉類支持部材上に載っている紙葉類を前記繰出ローラへ向けて移動させ、さらに当該紙葉類を繰り出しに必要となる圧力で前記繰出ローラに押圧することを特徴とする。
【００１１】
上記構成において、「前記第１紙葉類支持部材及び前記第２紙葉類支持部材は、前記保留部の下方位置から前記第１紙葉類支持部材及び前記第２紙葉類支持部材に対して相対的に上昇する前記紙葉類移送手段によって移送される紙葉類の移動を許容でき、」は、第１紙葉類支持部材及び前記第２紙葉類支持部材が紙葉類移送手段に対して移動する場合、紙葉類移送手段が第１紙葉類支持部材及び前記第２紙葉類支持部材に対して移動する場合、及び第１紙葉類支持部材及び前記第２紙葉類支持部材と紙葉類移送手段との両方が共に移動する場合、等を含むものである。
【００１２】
本発明に係る紙葉類処理装置の紙葉類収納庫において、前記第１紙葉類支持部材は、紙葉類の両側辺を支持できる間隔をもって互いに離れて配置されており、前記紙葉類移送手段は、前記間隔を通り抜けて移動できるように構成できる。この構成により、第１紙葉類支持部材と紙葉類移送手段とを小さな空間領域内で安定して正確に相対移動させることが可能となる。
【００１３】
本発明に係る紙葉類処理装置の紙葉類収納庫において、前記保留部は、前記第１紙葉類支持部材と、当該第１紙葉類支持部材に対して紙葉類の複数枚分の距離だけ離れて当該第１紙葉類支持部材と一体を成して設けられた第２紙葉類支持部材とによって形成することができる。この構成により、紙葉類を収納する領域である紙葉類収納部と、紙葉類を一次的に保留する領域である保留部とを小さな空間領域内に小さくまとめて設けることができる。
【００１４】
本発明に係る紙葉類処理装置の紙葉類収納庫において、前記第１紙葉類支持部材は、外部からの負荷が加わらない状態において前記間隔をもって離れた水平位置にあり、この状態で紙葉類（Ｍ）を受け取って支持でき、上方へ向かう負荷を受けたときには前記間隔が広がるように、上方へ向かって開き移動することにより、紙葉類の移動を許容できるように構成できる。
【００１５】
本発明では、第１紙葉類支持部材の下方位置に設けられた保留部と、第１紙葉類支持部材の上方位置に設けられた紙葉類収納部との間で、紙葉類移送手段を用いて紙葉類の移送が行われる。上記構成の発明態様によれば、第１紙葉類支持部材に関して大掛かりな機構や制御手法を付与すること無く、紙葉類移送手段による紙葉類の移送を安定して正確に行うことができる。
【００１６】
本発明に係る紙葉類処理装置の紙葉類収納庫において、前記第１紙葉類支持部材及び前記第２紙葉類支持部材によって形成された前記保留部に保留されている紙葉類を外部へ取り出すことができる開口及びそれを覆う扉をさらに有しており、前記第１紙葉類支持部材及び前記第２紙葉類支持部材は、前記保留部から紙葉類を前記扉を開いた状態の前記開口を通して外部へ取り出すことを許容する位置と、前記保留部から紙葉類を前記扉を開いた状態の前記開口を通して外部へ取り出すことをできないようにする位置と、を選択的にとることができる。
【００１７】
この構成により、客による取引の確定まで投入された紙葉類の外部への抜き取りを可能とする一次保留状態と、客による取引が確定して投入された紙葉類の外部への抜き取りを禁止する二次保留状態とを選択的に実現できるようになる。
【００１８】
次に、本発明に係る紙葉類処理装置は、以上に記載した構成の紙葉類収納庫を有することを特徴とする。この紙葉類処理装置は、例えば紙幣処理装置である。この紙幣処理装置は、例えば券売機の構成要素として用いられる。
【発明の効果】
【００１９】
本発明に係る紙葉類処理装置の紙葉類収納庫によれば、第１紙葉類支持部材によって紙葉類収納部を形成でき、その紙葉類収納部の下に保留部を形成できる。保留部への紙葉類の搬入は紙葉類移送手段によって行い、紙葉類収納部内に収納されている紙葉類を紙葉類繰出手段へ給送する作業は紙葉類移送手段とは別の部材である第１紙葉類支持手段によって行う。
【００２０】
以上の構成により、保留部内に保留状態の紙葉類を保留したままで、紙葉類収納部内の紙葉類を第１紙葉類支持部材によって繰出ローラへ給送して、紙葉類をこの繰出ローラによって外部へ繰り出すことができる。そしてその結果、紙幣等といった紙葉類の保留処理の確実化、紙葉類の搬送制御が複雑になることの防止、及び紙葉類の処理時間の短縮化のそれぞれを達成できる。
【図面の簡単な説明】
【００２１】
【図１】本発明に係る紙葉類処理装置の一例である紙幣処理装置の一実施形態を示す側面断面図である。
【図２】図１の紙幣処理装置で行われる紙幣処理の一例を示す図である。
【図３】図１の紙幣処理装置で行われる紙幣処理の他の一例を示す図である。
【図４】図１の紙幣処理装置で行われる紙幣処理のさらに他の一例を示す図である。
【図５】図１の紙幣処理装置で行われる紙幣処理のさらに他の一例を示す図である。
【図６】図１の紙幣処理装置で行われる紙幣処理のさらに他の一例を示す図である。
【図７】図１の紙幣処理装置で行われる紙幣処理のさらに他の一例を示す図である。
【図８】図１の紙幣処理装置で行われる紙幣処理のさらに他の一例を示す図である。
【図９】本発明に係る紙葉類収納庫の一例である紙幣収納庫の一実施形態を示す斜視図である。
【図１０】図９の紙幣収納庫の側面断面図である。
【図１１】図１０のＡ−Ａ線に従った正面断面図である。
【図１２】図１０に示す紙幣収納庫の内部構造の一部を示す斜視図である。
【図１３】図１０のＥ−Ｅ線に従った正面断面図である。
【図１４】図１０の紙幣収納庫によって行われる紙幣処理の一過程を示す図である。
【図１５】図１０の紙幣収納庫によって行われる紙幣処理の他の過程を示す図である。
【図１６】図１０の紙幣収納庫によって行われる紙幣処理のさらに他の過程を示す図である。
【図１７】図１０の紙幣収納庫によって行われる紙幣処理のさらに他の過程を示す図である。
【図１８】図１０の紙幣収納庫によって行われる紙幣処理のさらに他の過程を示す図である。
【図１９】図１０の紙幣収納庫によって行われる紙幣処理のさらに他の過程を示す図である。
【図２０】本発明に係る紙葉類収納庫の一例である紙幣収納庫の他の実施形態によって行われる主要工程を示す断面図である。
【図２１】図２０に示す工程に引き続いて行われる紙幣収納庫の他の主要工程を示す断面図である。
【図２２】図２１に示す工程に引き続いて行われる紙幣収納庫のさらに他の主要工程を示す断面図である。
【発明を実施するための形態】
【００２２】
（紙葉類処理装置及び紙葉類収納庫の第１の実施形態）
以下、本発明に係る紙葉類処理装置を実施形態に基づいて説明する。なお、本発明がこの実施形態に限定されないことはもちろんである。また、本明細書に添付した図面では特徴的な部分を分かり易く示すために実際のものとは異なった比率で構成要素を示す場合がある。
【００２３】
１．紙幣処理装置の概要
図１は、本発明に係る紙葉類処理装置の一実施形態である紙幣処理装置を示している。図１では、図の上下方向が空間の鉛直方向であり、左右方向が水平方向である。紙幣処理装置１は、例えば券売機の構成機器として用いられる。本実施形態の紙幣処理装置１は、千円、２千円、５千円、１万円の４金種を受付けて、主に千円、２千円、５千円の３金種をつり札として循環状態で搬送する構成となっている。但し、１万円についても循環状態で搬送させることができる構成となっている。
【００２４】
紙幣処理装置１は、通常、その底面が水平となるように設置される。紙幣処理装置１は、入金口部２と、挿入分離部３と、搬送部４と、識別部５と、１万円札を収納するための紙幣収納庫である万円収納庫６ａと、千円札を収納するための紙幣収納庫である千円収納庫６ｂと、２千円札及び５千円札を収納するための紙幣収納庫である２千円／５千円収納庫６ｃと、出金保留部７と、出金口部８と、出金リジェクト部９と、紙幣収納庫である補充回収庫１０と、退避部１１と、取忘回収庫１２等といった各種の処理部を有している。紙幣収納庫は基本的に各金種別に設定されており、２千円と５千円については１つの紙幣収納庫に混合して収容する構成となっている。
【００２５】
上記の各処理部の間は、搬送用ベルト１８、搬送用ローラ１９、搬送路切換え爪２０等によって形成されている搬送路によってつながれている。なお、搬送用ベルト１８、搬送用ローラ１９及び搬送路切換え爪２０は多数配設されており、図１ではそれらのうちの一部のものに符号を付して示している。上記の各処理部及び搬送路は紙幣の短手方向の両外側２ヶ所を挟持して紙幣を長手縦搬送するようになっており、処理スピードは５枚／秒程度である。また、搬送路における搬送可能な最大束搬送枚数は、例えば２０枚である。搬送路における紙幣の束の搬送速度は、万円収納庫６ａ、千円収納庫６ｂ、２千円／５千円収納庫６ｃ、及び補充回収庫１０における入金動作時等における紙幣の搬送速度よりも遅くなっている。
【００２６】
２．紙幣処理装置１の各構成機器
２−１．入金口部２
図１において、入金口部２は、挿入された紙幣を一括で、すなわち束で装置内に引き込む部分である。入金口部２には１枚又は複数枚の紙幣の挿入が可能である。また、入金口部２には、一括で最大５０枚の紙幣の挿入ができる。入金口部２において、紙幣は縦長方向に挿入される。
【００２７】
２−２．挿入分離部３
挿入分離部３は、一括で挿入された複数枚の紙幣を１枚ずつ分離する。挿入分離部３に引き込まれた紙幣は入金口部２からは見えないようになっている。
【００２８】
２−３．識別部５
識別部５は紙幣の識別及び計数を行う。識別部５は、紙幣が往方向及び復方向の双方向のいずれへ搬送される場合でも紙幣の種別を識別及び計数することができる。入金時に識別できない紙幣、すなわち金種を確定できない紙幣、は返却する。出金時及び回収時に識別できない紙幣は出金リジェクト部９へ搬送する。補充時に識別できない紙幣は退避部１１に搬送する。
【００２９】
２−４．補充回収庫１０
補充回収庫１０は、各金種の収納庫６ａ，６ｂ，６ｃへ補充しようとする紙幣をセットしたり、各金種の収納庫６ａ，６ｂ，６ｃから金種別に回収した紙幣を収納する収納庫である。補充される紙幣及び回収される紙幣は識別部５を経由する。紙幣処理装置１内の各種の紙幣収納庫６ａ，６ｂ，６ｃに対する紙幣の管理をこの補充回収庫１０を介して行うことができる。この補充回収庫１０を紙幣処理装置１の内部に設けたことにより、紙幣処理装置１を券売機等から引き出すことなく、各紙幣収納庫６ａ，６ｂ，６ｃに対する紙幣の補充や回収を行うことができる。
【００３０】
２−５．退避部１１
退避部１１は、１万円が２０枚を超える入金が発生した場合の２１枚目以降の１万円札の保留を行う。１万円以外の金種への設定も可能である。退避部１１は、補充時に識別部５にて識別できなかった紙幣を保留する部分でもある。退避部１１の最大保留枚数は２０枚である。この設定は、搬送路によって搬送可能な最大束搬送枚数が２０枚であることに対応している。取引の確定後、退避部１１内の紙幣は万円収納庫６ａへ束で搬送される。
【００３１】
２−６．出金保留部７
出金保留部７は、各収納庫６ａ，６ｂ，６ｃから繰り出された紙幣をまとめて出金口部２へ送る部分である。出金保留部７は、つり札の払出し時や、取引取消し時の紙幣の返却時や、入金時に識別部５にて識別できなかった紙幣の返却時等に、紙幣を出金口部８へ向けてまとめて送り出す。出金保留部７における紙幣の最大保留枚数は５０枚である。
【００３２】
２−７．出金口部８
出金口部８は、出金保留部７でまとめた紙幣を束の状態で部分的に外側へ出すことにより、紙幣を抜取り待機状態で保持する部分である。出金口部８は最大で５０枚の紙幣をまとめて外部へ出すことが可能である。
【００３３】
２−８．出金リジェクト部９
出金リジェクト部９は、出金時及び回収時に識別部５で識別できなかった紙幣を保留する部分である。出金リジェクト部９における紙幣の最大保留枚数は２０枚である。
【００３４】
２−９．取忘回収庫１２
客は、出金口部８から部分的に出ているつり札を取り忘れる場合がある。取忘回収庫１２は、そのように取り忘れられた紙幣を回収する部分である。具体的には、一括で払い出された紙幣は、出金口部８において抜き取り待機状態で保持され、一定時間の抜き取りがない場合には、取忘回収庫１２に回収される。取忘回収庫１２における紙幣の最大回収枚数は２０枚である。２１枚以上の取り忘れの場合は、取り忘れられた紙幣は出金保留部７に取り込まれ、その後、エラーが発生したものと判断されて紙幣処理装置１の動作が停止される。
【００３５】
２−１０．制御部
図１の紙幣処理装置１の適所には電子部品、マイクロコンピュータ、シーケンサ等を用いて構成された制御部（図示せず）が設置される。この制御部は、例えば、識別部５によって行われる入金時の識別結果及び計数結果を表示部へ伝送する処理や、出金金額命令（すなわち金種命令）に基づいた出金処理を行う。また、制御部は、紙幣処理装置１の状態、例えば、処理中モードであるとか、エラーが発生したとか、扉が開閉されているとか、等といった状態の制御やそれらの状態を通知するための通信を行ったりする。
【００３６】
３．紙幣処理装置１の動作概要
３−１．入金及び入金リジェクト処理
図２において、入金口部２に投入された紙幣は、一括すなわち束で紙幣処理装置１の内部へ取り込まれる。取り込まれた紙幣は、挿入分離部３にて順次に後方へ繰り出されて、識別部５にて識別され、さらに計数される。それらの処理後の紙幣は、金種別に、万円収納庫６ａの保留部Ｑか、千円収納庫６ｂの保留部Ｑか、２千円／５千円収納庫６ｃの保留部Ｑに保留される。
【００３７】
後述するように、各収納庫６ａ，６ｂ，６ｃの内部であって保留部Ｑの上方位置には紙幣収納部Ｓが設けられている。上記のようにして保留部Ｑに保留された紙幣は、既に紙幣収納部Ｓに収納されている紙幣とは分離された状態で一次保留状態、すなわち取引確定前の問題が発生した紙幣の取り出しが可能な状態で保留される。なお、識別部５で識別できなかった紙幣は、出金保留部７に搬送され、まとめた状態で出金口部８から排出されて、客に返却される。
【００３８】
一次保留された紙幣は、取引対象物品の客への提供等によって取引が確定したときに、二次保留状態となる。二次保留状態は、保留部Ｑからの問題が発生した紙幣の取り出しができなくなる状態であり、さらに客による取引の取消しができなくなる状態である。取引が確定し、さらにつり札の払出し処理が終了して二次保留状態となった紙幣は、次の客の購入動作の開始により、紙幣収納部Ｓへ収納される。ここで、次の客の購入動作とは、先押し口座ボタンの押下や、貨幣の投入（すなわち入金）や、カードの投入や、精算券の投入、等をいう。
【００３９】
３−２．取消し返却処理
図３において、各金種の収納庫６ａ，６ｂ，６ｃ内の保留部Ｑに一次保留された紙幣は、客による取引の取消しの意思があった場合には、投入された現物として客に返却される。この場合、返却に係るその紙幣は、保留部Ｑから集積状態（すなわち、束）のまま搬送路へ繰り出される。束となる紙幣の最大枚数は２０枚である。具体的には、返却される紙幣は、保留部Ｑから出金保留部７まで搬送され、他の金種の札とまとめられた上で出金口部８を通して客へ返却される。
【００４０】
３−３．出金及び出金リジェクト処理
つり銭の金額は、投入された貨幣の金額と購入する物品の金額との差額によって決まる。つり札は、つり銭の金額に応じて必要金種の札によって決められる。つり札は図４において出金口部８を通して外部へ払い出される。
【００４１】
各金種の収納庫６ａ，６ｂ，６ｃ内の紙幣収納部Ｓの上方位置には紙幣繰出部Ｒが設けられている。つり札は、該当金種の紙幣繰出部Ｒによって１枚ずつ搬送路へ繰り出され、識別部５によって金種が識別され、さらに制御部の演算処理により金額が計数され、出金保留部７へ搬送される。出金保留部７において紙幣の保留が完了すると、その紙幣が出金口部８を通して一括で払い出される。識別部５において識別できなかった紙幣は、出金リジェクト部９へ搬送される。一括で払い出された紙幣は、出金口部８にて抜き取り待機状態で保持される。一定時間内に客による紙幣の抜き取りが行われない場合には、その紙幣を取忘回収庫１２に取り込んで回収する。
【００４２】
本実施形態では、紙幣の挿入が一括挿入方式であるため、投入金額が購入金額を上回る場合がある。この場合であって、過剰投入金額が千円を上回るときにも、つり札の払い出しと同様にして、過剰投入金額に相当する金額を紙幣で払い出す。
【００４３】
３−４．補充及び補充リジェクト処理
図５において、補充回収庫１０は各金種の収納庫６ａ，６ｂ，６ｃと同様に、保留部Ｑ、紙幣収納部Ｓ及び紙幣繰出部Ｒを有している。補充回収庫１０の紙幣繰出部Ｒから繰り出された紙幣は、識別部５にて金種を識別され、さらに制御部にて計数され、対応する金種別収納庫６ａ，６ｂ，６ｃのいずれかの保留部Ｑ内に保留される。そして、適宜のタイミングで当該収納庫内の紙幣収納部Ｓへ移送される。なお、このような補充処理の場合には、保留部Ｑにおいて紙幣に対する一次保留は行われるが、二次保留（すなわち、取引が確定した後で紙幣の抜き取りを禁止する保留）は行われない。なお、識別部５にて識別できなかった紙幣は退避部１１へ搬送される。
【００４４】
３−５．回収及び回収リジェクト処理
図６において、各金種の収納庫６ａ，６ｂ，６ｃの紙幣繰出部Ｒから繰り出された紙幣は、識別部５を経由して補充回収庫１０へ搬送される。補充回収庫１０へ送られた紙幣は保留部Ｑを経て紙幣収納部Ｓへ収納される。識別部５で識別できなかった紙幣は出金リジェクト部９へ搬送される。
【００４５】
３−６．取忘回収処理
図７において、出金口部８にて一括で払い出された紙幣は当該出金口部８にて抜取り待機状態で保持される。この状態の紙幣が一定時間、抜き取られない場合は、その紙幣が取忘回収庫１２へ搬送されて回収される。抜き取られない紙幣の枚数が２１枚以上である場合は、それらの紙幣は出金保留部７へ搬送されて回収される。そして、その回収後、エラーが発生したものとして紙幣処理装置１の動作を停止する。
【００４６】
３−７．１万円札の４０枚入金処理
本実施形態では、定期券の設定最高金額として１万円札が４０枚入金される場合がある。図８において、紙幣処理装置１の入金口部２に１万円札が２１枚以上挿入されたときには、１万円札の２０枚目までは万円収納庫６ａの保留部Ｑに保留し、２１枚目以降は退避部１１に保留する。そして、取引が確定されて取消し返却が無効とされると、万円収納庫６ａの保留部Ｑにある２０枚を紙幣収納部Ｓに収納し、その後、退避部１１から万円収納庫６ａの保留部Ｑへ紙幣を束で搬送して、二次保留の状態で保留する。そして、次の客が購入開始動作（例えば入金）を行ったときに、それまで保留部Ｑ内で二次保留されていた紙幣を紙幣収納部Ｓへ移送してそこに収納する。
【００４７】
４．紙幣収納庫
以下、紙幣処理装置１内の万円収納庫６ａ、千円収納庫６ｂ、及び２千円／５千円収納庫６ｃ、及び補充回収庫１０について説明する。
【００４８】
４−１．紙幣収納庫の全般
図１において、万円収納庫６ａ、千円収納庫６ｂ、及び２千円／５千円収納庫６ｃは基本的には互いに同じ構成となっている。それらの外観形状は、例えば図９に示す通りである。万円収納庫６ａ、千円収納庫６ｂ、及び２千円／５千円収納庫６ｃが互いに異なる点は、例えば、各札の長さに対応して紙幣収納庫の長さＬ１が異なることや、収納枚数の設計上の設定値が異なることに対応して高さＨ１が異なること、等である。補充回収庫１０も基本的に各紙幣収納庫６ａ，６ｂ，６ｃと同じ構成である。ただ、補充回収庫１０は全ての種類の札を収納できる必要があるので、最も長い長さの札を収納できるだけの長さＬ１を持っている。
【００４９】
図１において、紙幣処理装置１内で万円収納庫６ａ、千円収納庫６ｂ、２千円／５千円収納庫６ｃ、及び補充回収庫１０を設置すべき所には、図示しないガイド機構が設けられている。図９に示す万円収納庫６ａ、千円収納庫６ｂ、２千円／５千円収納庫６ｃ、及び補充回収庫１０はそのガイド機構に従って紙幣処理装置１に対して出し入れ移動できる。なお、各紙幣収納庫６ａ，６ｂ，６ｃ及び補充回収庫１０は、出し入れ移動可能な構造に限られず、ネジ止め等によって紙幣処理装置１の内部に移動不能に固定しても良い。
【００５０】
各紙幣収納庫６ａ，６ｂ，６ｃ及び補充回収庫１０は基本的に同じ構成である。図１０はそれらの紙幣収納庫の断面構造を示している。なお、これ以降の説明では、各紙幣収納庫６ａ，６ｂ，６ｃ及び補充回収庫１０を総称して単に紙幣収納庫６と言うことがある。
【００５１】
図１０において、紙幣収納庫６は、入金口２４、出金口２５及び庫内領域２３を有している。入金口２４は返却口を兼ねている。これらの紙幣処理口（すなわち紙葉類処理口）２４，２５は、図９に示すように、例えば、処理可能な紙葉類のうちの最も大きなものを通過させることが可能な形状、例えば長方形状に形成されている。
【００５２】
入金口２４の後部に紙葉類導入部としての紙幣導入部Ｔが設けられ、出金口２５の後部に紙葉類繰出部としての紙幣繰出部Ｒが設けられている。庫内領域２３内において、紙幣導入部Ｔの後部に初期保留部Ｊが設けられ、初期保留部Ｊの上に保留部Ｑが設けられ、保留部Ｑの上に紙葉類導入部としての紙幣収納部Ｓが設けられている。上記の各部Ｔ，Ｒ，Ｊ，Ｑ，Ｓの詳細は以下の説明で明らかになる。
【００５３】
紙葉類としての紙幣Ｍは、入金口２４の所で矢印Ｂのように搬送されて紙幣収納庫６の内部へ導入される。また、紙幣Ｍは、出金口２５の所で矢印Ｃのように搬送されて紙幣収納庫６から外部へ排出される。入金側の紙幣搬送方向Ｂと出金側の紙幣搬送方向Ｃは、互いに平行で且つ反対の方向である。もちろん、搬送方向Ｂと搬送方向Ｃとが正確に平行でない場合もある。なお、これ以降の説明では紙幣が搬送される方向を「紙幣搬送方向」又は単に「搬送方向」といい、その搬送方向と直角に交わる水平の方向を「幅方向」ということにする。
【００５４】
４−２．紙幣収納庫の入金口近傍
図１１は、図１０のＡ−Ａ線に従って入金口２４の内部を正面から見た状態を示している。図１２は出金口２５の近傍を除いた紙幣収納庫６の内部構造の概略を斜視図として示している。図１２の左端部分に入金口２４の内部構造が示されている。これらの図において、矢印Ｂ及び矢印Ｃで示す方向が紙幣搬送方向であり、複合矢印Ｄ−Ｄ’がそれらと直角な幅方向である。図１０、図１１及び図１２において、入金口２４の内部の上段側に、３個の第１ローラ２６（図１１では鎖線で示している）と、それらの奥側（すなわち紙幣収納庫６ａの内部側）にある３個の第２ローラ２７と、３個の第１ベルト２８とが配設されている。
【００５５】
図１１では位置関係を分かり易く示すために第１ローラ２６と第２ローラ２７とを異なる大きさで示しているが、本実施形態では両者は同じ大きさである。もちろん、両ローラの大きさが異なる場合もあり得る。３個の第２ローラ２７は上段軸２９の軸上に幅方向Ｄ−Ｄ’で互いに間隔を開けて設けられている。３個の第１ベルト２８は、第１ローラ２６と第２ローラ２７との間に掛け渡されている。
【００５６】
入金口２４の内部の下段側に、幅方向Ｄ−Ｄ’へ延在する下段軸３２が設けられている。この下段軸３２の軸上で、幅方向Ｄ−Ｄ’の両脇部分に２個の第３ローラ３３が設けられ、それらの中間部分に１個の第４ローラ３４が設けられている。第４ローラ３４は幅方向Ｄ−Ｄ’に見て２個の第３ローラ３３の間の中央部に配置されている。第３ローラ３３及び第４ローラ３４は、幅方向Ｄ−Ｄ’で見て第１ベルト２８に対応した位置に配置されている。
【００５７】
第４ローラ３４の奥側の位置に第５ローラ３５が設けられている。そして、第４ローラ３４と第５ローラ３５とに第２ベルト３６が掛け渡されている。図１０において庫内領域２３の入金口２４と反対側の端部に第６ローラ３７が設けられている。この第６ローラ３７は図１２に示すように、２個の第３ローラ３３のそれぞれに対応して合計で２個設けられている。第３ローラ３３と第６ローラ３７とに第３ベルト３８が掛け渡されている。
【００５８】
図１０に示すように、第３ベルト３８は庫内領域２３の底部の全域にわたって紙幣搬送方向Ｂに沿って延在している。また、図１２に示すように、２つの第３ベルト３８は幅方向Ｄ−Ｄ’に沿って間隔Ｋ０をもって離れている。そして、上下で互いに対向している中央の第１ベルト２８及び中央の第２ベルト３６がこの間隔Ｋ０の中に配置されている。中央の第４ローラ３４は第２ベルト３６を中央の第１ベルト２８へ押し付けている。また、左右の第３ローラ３３は第３ベルト３８を両側の第１ベルト２８へ押し付けている。
【００５９】
下段軸３２は図示しない駆動源、例えば電動モータによって駆動されて、自身の中心線を中心として図１０の正時計方向及び反時計方向の両方へ選択的に回転できる。下段軸３２が図１０の正時計方向へ回転すると、両側の第３ローラ３３及び中央の第４ローラ３４が同じ方向（正時計方向）へ回転し、その結果、第２ベルト３６及び第３ベルト３８が同じ方向（正時計方向）へ周動回転する。このとき、第２ベルト３６及び第３ベルト３８に接触している第１ベルト２８は図１０の反時計方向へ従動により周動回転する。
【００６０】
図１０において、入金口２４に紙幣Ｍが導入され、中央の第２ベルト３６及び両側の第３ベルト３８が正時計方向へ周動回転すると、導入された紙幣Ｍは、第１ベルト２８と第２ベルト３６及び第１ベルト２８と第３ベルト３８とによって挟持された状態で紙幣収納庫６の内部へと送り込まれる。一方、中央の第２ベルト３６及び両側の第３ベルト３８が反時計方向へ周動回転すると、紙幣Ｍは紙幣収納庫６の内部から入金口２４の外側へ向けて搬送される。このとき、入金口２４は返却口として作用する。
【００６１】
以上のように、上部３個の第１ベルト２８、下部中央の第２ベルト３６及び下部両側の第３ベルト３８は、紙幣Ｍを紙幣収納庫６の内部へ導き入れるための紙幣導入部Ｔ、すなわち紙葉類導入部を構成している。なお、下部両側の第３ベルト３８は、紙幣収納庫６の底部において紙幣Ｍを保持するための紙幣保持手段も兼ねている。
【００６２】
図１１において、上段軸２９の軸上であって、奥側の３個の第２ローラ２７の間に２個の羽根車４１が設けられている。図１２ではこれらの羽根車４１の図示を省略している。個々の羽根車４１は複数、例えば４つの羽根４１ａを備えている。４つの羽根４１ａは上段軸２９を中心とする円周方向に沿って互いに等角度間隔で設けられている。羽根４１ａは可撓性を有した材料によって形成されている。羽根車４１は、上部３個の第１ベルト２８の周回移動方向と同じ方向へ上段軸２９を中心として第１ベルト２８と一体になって回転する。
【００６３】
各羽根車４１の羽根４１ａは次のように作用する。すなわち、庫内領域２３の内部の底部、例えば第３ベルト３８の上に既に紙幣Ｍが１枚又は複数枚収容されている場合に、それらの紙幣の先端部分を持ち上げるように作用し、これにより、後続の紙幣Ｍがそれらの紙幣Ｍの下方位置に挿入されることを確実にしている。
【００６４】
４−３．紙幣収納庫の庫内領域
図１３は、図１０のＥ−Ｅ線に従って庫内領域２３の内部を正面側から見た場合の構成を示している。図１０、図１２及び図１３において、紙幣収納庫６の庫内領域２３の中に、紙幣Ｍを処理するために互いに関連して作動する複数の部材要素である、紙葉類移送手段としてのプッシャ４３と、紙葉類持上手段としてのフラッパ４４と、押え板４５とが設置されている。図１２では、押え板４５の図示を省略している。
【００６５】
フラッパ４４は図１３に示すように正面側から見て庫内領域２３の内部の左右の２ヶ所に間隔Ｋ１を空けて設けられている。フラッパ間隔Ｋ１は第３ベルト間隔Ｋ０よりも狭くなっている。これらのフラッパ４４の端面形状（すなわち断面形状）は、紙幣収納庫６の縦中心線Ｘ１に関して互いに線対称の関係になっている。フラッパ４４は、第１紙葉類支持部材としての上面板４４ａと、第２紙葉類支持部材としての下端張出部４４ｂとを有している。上面板４４ａと下端張出部４４ｂは側板４４ｃによって一体となっている。
【００６６】
フラッパ上面板４４ａの上面は、紙葉類である紙幣Ｍを複数枚重ねて支持することができる。具体的には、上面板４４ａの上面は、紙幣Ｍの短手方向の両外側（すなわち長手方向に延びる外側の２辺）で紙幣Ｍを支持する。押え板４５は上面板４４ａの上に載置された紙幣Ｍの上に自重で載ることにより、紙幣Ｍがフラッパ上面板４４ａの上で遊ばないように、すなわち位置変動しないように作用する。フラッパ下端張出部４４ｂは、上面板４４ａと同じ方向へ張出していると共に、上面板４４ａに対して平行又は略平行になっている。下端張出部４４ｂの内部への張出し寸法は、上面板４４ａの内部への張出し寸法よりも小さくなっている。両側の下端張出部４４ｂは協働して紙幣Ｍを水平状態に支持できるに足る張出し長さを有すると共に、第３ベルト３８にはぶつからない張出し長さとなっている。
【００６７】
フラッパ４４は、図１３に示すように、図１３の紙面を貫通する方向である紙幣搬送方向Ｂに延在している支軸４６によって回転可能に支持されている。フラッパ４４は、自然状態においてはバネ等といった弾性部材の弾性力によって上面板４４ａが水平になる状態にある（以下、この状態をフラッパ４４の「水平状態」と言うことにする）。なお、フラッパ４４を自重によって水平状態に維持できる場合には弾性力を用いること無く自重によって水平状態を維持するようにしても良い。上面板４４ａが下方から上方へ向かって力を受けると、フラッパ４４は矢印Ｆで示すように支軸４６を中心として回転移動する。回転移動しているフラッパ４４から力を解除するとフラッパ４４は弾性力又は自重によって水平状態に戻る。
【００６８】
図１０において、庫内領域２３の奥側（図の右側）にガイドロッド４８が設けられている。ガイドロッド４８は上下方向に延在している。ガイドロッド４８の軸上に第１スライダ４９及び第２スライダ５０がそれぞれ摺動可能に設けられている。ガイドロッド４８と第１スライダ４９とから成る昇降ユニットは、図１２に示すように、庫内領域２３の内部において正面側から見て左右の２ヶ所に設けられている。
【００６９】
第１スライダ４９は図示しない昇降駆動装置によって駆動されてガイドロッド４８に沿って昇降移動する。２つのフラッパ４４は、それぞれ、対応した第１スライダ４９によって支持されており、第１スライダ４９と一体になって昇降移動する。フラッパ４４の昇降移動により、フラッパ４４によって支持されている紙幣が庫内領域２３内で上下に昇降移動する。第２スライダ５０は図１０に示すように押え板４５を支持している。押え板４５は自重によって降下する構成となっており、フラッパ４４の上面板４４ａ上に複数の紙幣Ｍが載っている場合には、それらの紙幣Ｍのうちの最上位のものの上面に載って紙幣Ｍの束を押さえ付ける。
【００７０】
プッシャ４３は、紙葉類としての紙幣Ｍ（図１２参照）を持ち上げるために昇降移動する機器であり、紙幣Ｍを載せるための平面部分が頂面となっている。プッシャ４３は、一対のフラッパ４４の間隔Ｋ１によって幅が規定される３次元空間内で昇降移動するようになっている。プッシャ４３を昇降移動させるための構成は特定の構成に限られないが、本実施形態では、一対のＸ字形状を成すリンク５１を用いて成るパンタグラフ機構を採用して昇降手段が構成されている。昇降移動のための駆動源は図示していないが、例えば電動モータを駆動源とすることができる。
【００７１】
４−４．紙幣収納庫の出金口近傍
図１０において、出金口２５の奥側（図１０の右側）にピンチローラ５４が設けられている。そして、ピンチローラ５４に対向して押えローラ５５が設けられている。ピンチローラ５４と押えローラ５５は適宜の圧力の下で接触、いわゆる圧接している。
【００７２】
これらのローラ５４，５５の奥側（図１０の右側）に、フィードローラ５６と阻止ローラ５７から成る一対のローラが設けられている。フィードローラ５６のさらに奥側に紙葉類繰出手段としての繰出ローラ５８が設けられている。フィードローラ５６と繰出ローラ５８とに動力伝達用のベルト５９が掛け渡されている。
【００７３】
繰出ローラ５８は図示しない駆動源、例えば電動モータによって駆動されて図１０の正時計方向へ回転できる。このときには、ベルト５９の働きによりフィードローラ５６も同じ正時計方向へ回転する。繰出ローラ５８が正時計方向へ回転するときに当該繰出ローラ５８の外周面に紙幣Ｍが接触していると、その紙幣Ｍはフィードローラ５６へ向けて送り出される。
【００７４】
こうして送り出された紙幣Ｍはフィードローラ５６によってピンチローラ５４へ向けて送り出される。ピンチローラ５４は押えローラ５５と協働して紙幣Ｍを挟持しつつ、紙幣Ｍを出金口２５から外部へ送り出す。阻止ローラ５７は、当該阻止ローラ５７とフィードローラ５６との間に複数枚の紙幣Ｍが重なって供給された場合（いわゆる重送された場合）に、最も上にある紙幣がフィードローラ５６によってピンチローラ５４の方向へ送り出されることを許容し、２枚目より下方の紙幣がピンチローラ５４の方向へ最上紙幣と重なった状態で送り出されること阻止する。
【００７５】
本実施形態では、繰出ローラ５８、フィードローラ５６、阻止ローラ５７、ピンチローラ５４、及び押えローラ５５によって紙幣繰出部Ｒ、すなわち紙葉類繰出部が構成されている。
【００７６】
なお、繰出ローラ５８によって紙幣Ｍを繰り出したい場合には、フラッパ４４の上面板４４ａの上に１枚又は複数枚の紙幣Ｍを載せ、フラッパ４４を第１スライダ４９によって上昇移動させ、１枚の紙幣Ｍ又は複数枚の紙幣Ｍのうちの最上紙幣Ｍを繰出ローラ５８の外周面に下方から押し付ける。この場合の押付量すなわち押付力を紙幣Ｍの重なり枚数にかかわらず一定にするために、例えば繰出ローラ５８の近傍に紙幣Ｍを検知するためのセンサを設けておき、このセンサの検知結果に基づいてフラッパ４４の上昇移動を制御することが望ましい。
【００７７】
４−５．フラッパ４４の位置
フラッパ４４は、第１スライダ４９の上下移動を制御することにより、図１４（ａ）に示す第１位置Ｐ１と、図１９（ｂ）に示す第２位置Ｐ２と、図１７（ｂ）に示す第３位置Ｐ３と、の３つの位置をとることができる。第１スライダ４９の移動制御は、例えば、駆動源である電動モータ、例えばパルスモータ、サーボモータ等の回転を各位置Ｐ１，Ｐ２，Ｐ３に対応して配置したセンサからの位置信号に基づいて制御することによって行う。
【００７８】
図１４（ａ）に示すフラッパ４４の第１位置Ｐ１は、第１紙葉類支持部材としてのフラッパ上面板４４ａの上面（すなわち紙幣支持面）が、紙葉類繰出手段としての繰出ローラ５８と、紙葉類導入手段として３つのベルト（すなわち上部３個の第１ベルト２８と、それらに面接触している下部中央の第２ベルト３６及び下部両側の第３ベルト３８）との間に置かれる位置である。
【００７９】
より詳しくは、フラッパ４４の第１位置Ｐ１は、庫内領域２３内に所定の設定枚数の紙幣Ｍを重ねて載置することを可能とする位置である。ここで所定の設定枚数とは、本実施形態では、万円収納庫６ａ，千円収納庫６ｂ及び補充回収庫１０では５００枚であり、２千円／５千円収納庫６ｃでは２００枚である。
さらに詳しくは、フラッパ４４の第１位置Ｐ１は、下端張出部４４ｂの下面と第３ベルト３８の上走行部の上面との間に使用状態の札（若干のシワや波打ちのある札）の少なくとも１枚分の空間を形成することができる位置である。
【００８０】
なお、フラッパ４４の第１位置Ｐ１は、上記の通りに設定枚数（例えば紙幣の５００枚や２００枚）を収容できるかどうかによって決まる位置であるが、後述のようにフラッパ上面板４４ａ上に紙幣Ｍを載せる際には、フラッパ上面板４４ａ上の紙幣Ｍをプッシャ４３によってフラッパ上面板４４ａよりも所定高さ（「δ」と言うことにする）まで持ち上げた後に、プッシャ４４を降下させて紙幣Ｍをフラッパ上面板４４ａ上に置くという操作を行うので、フラッパ４４の第１位置Ｐ１は、具体的には、紙幣Ｍの設定枚数分の高さに加えて上記の所定高さδの余裕を持たせた高さ（すなわち、設定枚数＋プッシャ持上げ高さδ）によって規定される位置である。
【００８１】
図１９（ｂ）に示すフラッパ４４の第２位置Ｐ２は、第１紙葉類支持部材としてのフラッパ上面板４４ａの上面に置かれた１枚の紙幣Ｍを繰出ローラ５８に押し付けるか、又はフラッパ上面板４４ａの上面に置かれた複数枚の紙幣Ｍのうち最上位置のものを繰出ローラ５８に押し付ける位置、すなわち繰出ローラ５８によって紙幣Ｍを繰り出すことが可能となる位置である。
【００８２】
このフラッパ４４の第２位置Ｐ２は、上面板４４ａの上に何枚の紙幣Ｍが載置されているかによって変動する位置である。この第２位置Ｐ２を確定するため、本実施形態では繰出ローラ５８の近傍にセンサを設け、このセンサによってフラッパ上面板４４ａの上に載置された最上位置の紙幣Ｍを検知する。そして、この検知位置に基づいて第２位置Ｐ２を規定する。
【００８３】
以上から理解されるように、フラッパ４４の第１位置Ｐ１は、紙幣の設定収容枚数及びプッシャ４３の持上げ高さδが決まれば、常に一定の位置である。一方、フラッパ４４の第２位置Ｐ２は、フラッパ上面板４４ａ上に載置されている紙幣Ｍの枚数によって変動する位置である。フラッパ上面板４４ａ上に載置されている紙幣Ｍの枚数が多くなればなる程、第２位置Ｐ２は第１位置Ｐ１に近づいて行く。フラッパ上面板４４ａ上での紙幣Ｍの載置枚数が所定の設定枚数（例えば、５００枚又は２００枚）になったとき、第２位置Ｐ２は第１位置Ｐ１に最も近づくことになる。
【００８４】
図１７（ｂ）に示すフラッパ４４の第３位置Ｐ３は、次の通りに規定される位置である。図９において紙幣収納庫６の１つの側面である保守面に紙幣取出し用開口６１が設けられている。さらに、その開口６１を覆うことができる一次保留扉６２が設けられている。紙幣取出し用開口６１は図１０の第３ベルト３８に沿って設けられた長孔であって、係員が手の指を挿入できる大きさの上下方向の幅を持った孔である。
【００８５】
なお、図９にて符号６３は保守用扉を示している。保守用扉６３の内部にはロック機構６４が設けられている。ロック機構６４は扉６３の外部に露出する鍵穴６５を備えている。通常、扉６３は閉じられており、ロック機構６４はロック状態にセットされ、扉６３は紙幣を保守するために開かないようになっている。鍵を管理している係員がその鍵を鍵穴６５に挿入して所定の操作をすれば、ロック機構６４のロック状態を解除して扉６３を開くことができる。これにより、係員は収納庫６の内部の保守を行うことができる。
【００８６】
一時保留扉６２は、通常は、バネその他の弾性力によって紙幣収納庫６の側面に当接して開口６１を覆っている。係員は上記の弾性力に抗して紙幣収納扉６を矢印Ｇで示すように開くことができ、この開き移動により開口６１を外部に露出させることができる。フラッパ４４の第３位置Ｐ３は、図１４（ａ）に示した第１位置Ｐ１よりも下方の位置であり、フラッパ４４の下端張出部４４ｂが第３ベルト３８の上走行部よりも低くなって、下端張出部４４ｂによって支持していた紙幣Ｍが第３ベルト３８によって受け取られるようになる位置である。
【００８７】
フラッパ４４が図１４（ａ）に示す第１位置Ｐ１にあるとき、係員が図１７（ａ）に示すように一次保留扉６２を手動によって開いて開口６１を外部に露出させれば、係員が開口６１に手の指を挿入することにより、フラッパ４４の下端張出部４４ｂに支持されている紙幣Ｍを外部へ抜き取ること、すなわち取り出すことができる。一方、フラッパ４４が図１７（ｂ）の第３位置Ｐ３にあるときには、係員は開口６１からフラッパ４４の内部へ手の指を差し入れることができず、従って第３ベルト３８上の１枚又は複数枚の紙幣Ｍを外部へ抜き出すことができない状態になっている。
【００８８】
図１３において、フラッパ４４が第１位置Ｐ１に位置していて且つ水平状態にある場合において、庫内領域２３内であってフラッパ上面板４４ａよりも上方の領域が紙幣を収納するための紙幣収納部Ｓを構成している。また、フラッパ上面板４４ａとフラッパ下端張出部４４ｂとの間に形成される空間が保留部Ｑを構成している。さらに、フラッパ下端張出部４４ｂと第３ベルト３８の上走行部との間に形成される空間が初期保留部Ｊを構成している。
【００８９】
「初期保留部Ｊ」は、紙幣Ｍをまず第１に庫内領域２３で保持する領域であり、紙幣Ｍを保留部Ｑへ移送する前に一時的に保留する領域である。「保留部Ｑ」は、一人の客が紙幣Ｍを入金してから、次の客が入金を行うまでの間、入金された紙幣を保留しておくための領域である。「紙幣収納部Ｓ」は客によって指示された取引に関する所定の処理が終了した後に、入金された紙幣を管理者側の所有物として保管するための領域である。
【００９０】
４−６．保留部、繰出部等の位置関係
本実施形態では、庫内領域２３内の下部に入金口２４が設けられ、同じく下部に紙葉類導入手段としての搬送ベルト（第１ベルト２８、第２ベルト３６、第３ベルト３８）が設けられ、同じく下部に初期保留部Ｊが設けられ、初期保留部Ｊの上方に保留部Ｑが設けられ、保留部Ｑの上方に紙幣収納部Ｓが設けられている。そして、紙幣収納部Ｓの上方に紙葉類繰出手段としての繰出ローラ５８が設けられている。
換言すれば、庫内領域２３内において、保留すべき紙幣を保留しておくための保留部Ｑが下段に設けられ、取引が確定した紙幣を収納するための紙幣収納部Ｓが中段に設けられ、そして紙幣を払い出すための紙葉類繰出手段としての繰出ローラ５８が上段に設けられている。
【００９１】
４−７．プッシャ４３及びフラッパ４４の動作
以下、プッシャ４３とフラッパ４４の動作について説明する。
図１０において、紙幣収納庫６の下部の入金口２４に紙幣Ｍが導入されると、紙葉類導入手段としての３種類のベルト、すなわち上部３個の第１ベルト２８、下部中央の第２ベルト３６及び下部両側の第３ベルト３８によって、その紙幣Ｍが庫内領域２３の内部の底部へ導入される。紙幣Ｍの長さ方向（図１０の左右方向）の全体が庫内領域２３の中に入ると第３ベルト３８の周回移動が止まり、紙幣Ｍはその止まった第３ベルト３８の上に静止する。なお、このとき、フラッパ４４は図１４（ａ）の第１位置Ｐ１にあり、プッシャ４３は、その上面が第３ベルト３８の上走行部よりも下方位置となる状態にある。
【００９２】
これ以降、プッシャ４３及びフラッパ４４は、主に、第１の入金動作である紙幣の一次保留のための動作、第２の入金動作である紙幣の二次保留のための動作、第３の入金動作である紙幣の収納動作、そして出金動作である紙幣の繰出動作の各動作を順次に行う。
一次保留と二次保留とを合わせた紙幣の保留は、ある客による入金が行われてから次の客による入金が行われるまでの間、紙幣を所定の収納部へ収納することを一時控えて留め置くことである。
【００９３】
特に、「一次保留」は、順番が先の客が入金を行ってから取引が確定するまでの間に行われる保留である。取引の確定とは、例えば、客によって取引開始ボタンが押され、種々の取引条件が入力され、最後に取引対象物品が客に提供された状態である。取引開始ボタンが押されても、途中で客から取消しの意思表示があった場合には、取引は確定しない。「二次保留」は、順番が先の客が取引を確定した後、次の客による入金が行われるまでの間に行われる保留である。
【００９４】
以下、上記の紙幣の一次保留のための動作、紙幣の二次保留のための動作、紙幣の収納動作、及び紙幣の繰出動作について、個別に説明する。
【００９５】
４−７−１．紙幣の一次保留のための動作
この動作は、図１４、図１５そして図１６で示す順に行われる。まず、図１４（ａ）に示すように、１枚目の紙幣Ｍ１が第３ベルト３８及びプッシャ４３の上に送り込まれる。このとき、第３ベルト３８とフラッパ下端張出部４４ｂとの間の空間が紙幣Ｍ１のための初期保留部Ｊとして機能している。
【００９６】
次に、図１４（ｂ）に示すように、プッシャ４３が紙幣Ｍ１を載せた状態でリンク５１によって持ち上げられて第１の短い距離αだけ上昇する。この距離αは、紙幣Ｍ１がフラッパ下端張出部４４ｂを超えて持ち上げられ、しかしフラッパ４４の上面板４４ａの上面には乗り上げない距離である。こうしてプッシャ４３が距離αだけ上昇する動作は部分的な上昇という意味でハーフプッシュ動作と呼ばれることがある。このハーフプッシュ動作により、紙幣Ｍ１は、フラッパ上面板４４ａとフラッパ下端張出部４４ｂとの間に形成されている空間である保留部Ｑの中へ移動する。
【００９７】
次に、図１５（ａ）に示すように、プッシャ４３が降下して最も低い位置である初期位置へ戻り、その際、紙幣Ｍ１はプッシャ４３から離れて両側のフラッパ下端張出部４４ｂに引っ掛かることによって支持される。こうして、紙幣Ｍ１が保留部Ｑ内に保留される。次に、図１５（ｂ）に示すように、２枚目の紙幣Ｍ２が第３ベルト３８とフラッパ下端張出部４４ｂとの間の空間内、すなわち初期保留部Ｊ内へ送り込まれる。このとき、図１０及び図１１に示す羽根車４１の羽根４１ａが１枚目の紙幣Ｍの後端を上方へ持ち上げるので、２枚目の紙幣Ｍ２は１枚目の紙幣Ｍ１の下へ正確に送り込まれる。
【００９８】
次に、図１６（ａ）に示すように、プッシャ４３が再び持上げ距離αのハーフプッシュ動作を行い、これにより、２枚目の紙幣Ｍ２が保留部Ｑ内へ持上げられて、１枚目の紙幣Ｍ１の下面に接触する。次に、図１６（ｂ）に示すようにプッシャ４３が再び初期位置へ戻り、２枚の紙幣Ｍ１及びＭ２が両方のフラッパ下端張出部４４ｂに支持されて保留部Ｑ内に保留される。これ以降、入金口２４へ複数の紙幣が順次に送り込まれるたびに同じ動作が繰り返されて、保留部Ｑ内に保留されている紙幣Ｍの下に追加の紙幣が順次に集積されて行く。これにより、保留部Ｑ内に複数枚の紙幣Ｍが保留される。
【００９９】
複数枚の紙幣Ｍは、羽根車４１の羽根４１ａによって後端を叩き上げられ、後から進入してくる紙幣の進入を妨げないようにされる。また、それと同時に、紙幣保留部Ｓ内に保留された複数枚の紙幣Ｍは、それらの後端を羽根４１ａによって叩かれることにより互いに揃えられ、返却時にはバラバラにならずに束状態のままで搬送される。
【０１００】
本実施形態において、保留部Ｑに収容できる紙幣Ｍの最大枚数、すなわち最大保留枚数は、２０枚に設定されている。これは、搬送部において搬送可能な最大束搬送枚数が２０枚であることに対応して決められたものである。
【０１０１】
以上が、紙幣の一次保留のための動作である。保留部Ｑ内での紙幣の一次保留は、一人の客による入金があった後、取引の確定（例えば取引対象物品の客への提供）があるまで行われる。この一次保留に係る紙幣は、図１７（ａ）に示すように、一次保留扉６２を係員が手動で開けることにより、係員によって外部へ抜き取ることができる。これにより、客が取引を行うことを取り止めた場合等に対処できる。
【０１０２】
４−７−２．紙幣の二次保留のための動作
取引対象物品の客への提供により取引が確定した場合には、フラッパ４４が第１位置Ｐ１から図１７（ｂ）に示す第３位置へ僅かに下がる。すなわち、フラッパ上面板４４ａとフラッパ下端張出部４４ｂとの間の空間である保留部Ｑが僅かに下方へ下がる。これにより、フラッパ４４が紙幣Ｍに対する二次保留状態となる。この二次保留状態では、一次保留扉６２を開けても紙幣Ｍに触れることができず、従って、紙幣Ｍの外部への抜き取りができない状態となる。これにより、客が取引を確定した後は、投入した紙幣Ｍが取り戻せない状態となる。
【０１０３】
４−７−３．紙幣の収納動作
順番が先の客によって取引が確定され、さらに取引を実行するための所定の処理（例えば、つり銭の演算処理やつり銭の払出し処理等）が行われた後、次の客によって購入動作が開始される（例えば入金が行われる）と、紙幣を紙幣収納部Ｓ（図１３参照）へ収納するための動作である紙幣収納動作が開始される。図１８（ａ）は紙幣収納動作が開始される前の状態を示しているが、この場合は、フラッパ４４の上面板４４ａの上の紙幣収納部Ｓ内に既に複数枚の紙幣Ｍ０が積載されており、そして入金された紙幣Ｍ１、Ｍ２、…が保留部Ｑ内に保留されている。
なお、既に収納されている紙幣Ｍ０や順次に入金された紙幣Ｍ１、Ｍ２、…を総称する際、及び個々の紙幣を称する際には紙幣Ｍと呼ぶことにする。
【０１０４】
紙幣収納動作が開始されると、まず、フラッパ４４が図１７（ｂ）に示す第３位置Ｐ３から図１８（ａ）に示す第１位置Ｐ１へと僅かに上昇する。すなわち、保留部Ｑが僅かに上昇する。次に、図１８（ｂ）に示すように、プッシャ４３の上面が水平状態にあるフラッパ上面板４４ａよりも所定距離δだけ上に上がるまで、プッシャ４３がリンク機構５１によって持上げられる。これにより、紙幣Ｍが、フラッパ上面板４４ａよりも上方へ持ち上げられる。
【０１０５】
プッシャ４３が、図１８（ａ）に示す第１位置Ｐ１から、図１８（ｂ）に示す距離δの持上げ位置まで上昇する際、プッシャ４３上の紙幣Ｍはフラッパ４４の上面板４４ａを押し上げてフラッパ４４の全体を支軸４６を中心として矢印で示すように回転移動させながら、すなわちフラッパ上面板４４ａを上方へ押し広げて開き移動させながら庫内領域２３内を上昇する。そして、プッシャ４３は、回転移動するフラッパ４４の上面板４４ａから離れることができる距離δまで持ち上げられる。
【０１０６】
フラッパ４４が距離δの上方位置まで持ち上がると、紙幣Ｍによるフラッパ上面板４４ａへの押上げ力が解除される。すると、フラッパ４４はバネ力等といった弾性力又は自重によって水平位置まで戻る。次に、プッシャ４３は、図１９（ａ）に示すように初期位置である最下位位置へ下がる。これにより、紙幣Ｍはフラッパ上面板４４ａの上方領域である紙幣収納部Ｓに収納される。こうして、新しく収納した紙幣が既に収納されていた紙幣の下に追加的に集積される。
【０１０７】
本実施形態では、万円収納庫６ａ，千円収納庫６ｂ及び補充回収庫１０の目標収納枚数が５００枚であり、２千円／５千円収納庫６ｃの目標収納枚数が２００枚である。従って、フラッパ４４が第１位置Ｐ１にあるときの上面板４４ａよりも上方の領域である紙幣収納部Ｓは、少なくともそれらの目標収納枚数の紙幣Ｍを収容できる高さを持った空間領域である。
【０１０８】
さらに、本実施形態では、図１８（ａ）、図１８（ｂ）、そして図１９（ａ）に示したように、保留部Ｑ内の紙幣Ｍを紙幣収納部Ｓ内へ移動させるときに、既に紙幣収納部Ｓ内に置かれている紙幣Ｍ０と、これから紙幣収納部Ｓへ収納しようとしている紙幣Ｍとを図１８（ｂ）に示すように、一旦、プッシャ４３によって距離δだけフラッパ４４の上方へ持ち上げた後に、図１９（ａ）に示すようにプッシャ４３をフラッパ４４の下方へ降下させて、紙幣Ｍを第１位置Ｐ１にあるフラッパ上面板４４ａの上、従って紙幣収納部Ｓの底部に置くことにしている。
【０１０９】
従って、本実施形態において紙幣収納部Ｓ内に５００枚、２００枚等といった目標枚数の紙幣Ｍを収納しようとするならば、紙幣収納部Ｓの高さは、それらの目標枚数分の高さに加えて、収納動作のために必要とされるプッシャ４３の持ち上げ高さδを加えた高さにする必要がある。
【０１１０】
４−８．紙幣の繰出動作（出金動作）
以上のようにして紙幣収納部Ｓ内に紙幣Ｍが収納された後、収納庫６から紙幣Ｍを取り出すタイミングが到来すると、フラッパ４４が図１９（ｂ）に示すように第２位置Ｐ２、すなわち紙幣Ｍのうちの最上位置の紙幣を紙葉類繰出手段としての繰出ローラ５８に所定の圧力で当接させる位置、へと上昇する。フラッパ上面板４４ａ上に載置されている紙幣Ｍの枚数が変動してもその紙幣Ｍを一定の圧力で繰出ローラ５８に当接させるため、本実施形態では、紙幣Ｍの最上位置のものを検知するためのセンサ（図示せず）を繰出ローラ５８の近傍に配置して、最上位の紙幣の位置を検出し、その検出結果に基づいてフラッパ４４を常に正確に第２位置Ｐ２へセットできるようにしている。
【０１１１】
フラッパ４４が第２位置Ｐ２にセットされて、紙幣Ｍの最上位置のものが繰出ローラ５８に当接すると、その繰出ローラ５８が図１０の正時計方向へ回転し、その最上位の紙幣Ｍが出金口２５へ向けて繰り出される。繰出しによってフラッパ４４上の紙幣Ｍが減少すると、紙幣Ｍの繰出ローラ５８に対する圧力を一定に保持するために、フラッパ４４が上昇移動する。このフラッパ４４の上昇移動は、例えば紙幣の繰出枚数に対応して行われるように制御される。こうして、フラッパ４４の上に収納されている紙幣Ｍは、フラッパ４４と繰出ローラ５８との協働により収納庫６の外部へ送り出される。
【０１１２】
なお、繰出ローラ５８によって繰り出された紙幣が複数枚重なっている場合には、フィードローラ５６と阻止ローラ５７とによって最上紙の１枚が分離される。そして、分離された１枚の紙幣がピンチローラ５４と押えローラ５５とによって引き出されて、搬送部へ繰り出される。繰出ローラ５８及びフィードローラ５６の紙幣搬送速度は搬送部における紙幣搬送速度よりも遅くなっている。ピンチローラ５４の紙幣搬送速度は搬送部における紙幣搬送速度と同じになっている。この速度設定により、紙幣の繰出しが安定して円滑に行われる。
【０１１３】
フラッパ４４が移動する際には、フラッパ上面板４４ａとフラッパ下端張出部４４ｂとによって形成されている空間である保留部Ｑも一緒に移動する。そして、保留部Ｑの移動に応じてプッシャ４３も移動する。これにより、フラッパ上面板４４ａ上の紙幣Ｍが移動する際には、保留部Ｑ内に保留されている紙幣も一緒に移動する。
【０１１４】
４−９．取引の取消しに対応した動作
客は、入金をした後、取引の確定を指示する前に、取引の取消しの意思表示を行う場合がある。例えば、券売機等の接客面内の所定の場所に設けられている取引取消ボタン等をオン操作する場合がある。この場合には、図１０において、フラッパ４４によって形成されている保留部Ｑが下がり、紙葉類導入手段（すなわち、第１ベルト２８、第２ベルト３６及び第３ベルト３８）及び羽根車４１が収納のための給紙方向に対して逆転し、保留部Ｑ内に一次保留されていた状態の紙幣束を束の状態のまま入金口（この場合は返却口）２４へ向けて送り出す。こうして送り出された紙幣束は、図１の搬送路によって搬送され、出金保留部７を経由して出金口部８を通して返却される。
【０１１５】
以上に説明した本実施形態によれば、図１３において、フラッパ上面板４４ａによって紙葉類収納部Ｓを形成でき、その紙葉類収納部Ｓの下に保留部Ｑを形成できる。保留部Ｑへの紙幣Ｍの搬入は、図１２に示す紙幣移送ユニット、すなわち第１ベルト２８、第２ベルト３６、第３ベルト３８、及びプッシャ４３から成るユニットによって行う。紙幣収納部Ｓ内に収納されている紙幣を繰出ローラ５８へ給送する作業は、第１ベルト２８、第２ベルト３６、第３ベルト３８、及びプッシャ４３から成るユニットとは別の部材であるフラッパ上面板４４ａによって行う。
【０１１６】
以上の構成により、保留部Ｑ内に紙幣を保留したままで、紙幣収納部Ｓ内の紙幣をフラッパ上面板４４ａによって繰出ローラ５８へ給送して、この繰出ローラ５８によって紙幣を外部へ繰り出すことができる。その結果、紙幣の保留処理を安定して確実に行うことが可能となり、紙幣処理装置１（図１参照）の全体で見た場合の紙幣の搬送制御が簡単になり、さらに紙幣処理装置１の全体で見た場合の紙幣の処理時間を短縮化できる。
【０１１７】
（紙葉類収納庫の第２の実施形態）
図２０、図２１、及び図２２は、本発明に係る紙葉類収納庫の第２の実施形態の主要工程である紙幣収納部Ｓへの紙幣の収納動作を示している。図２０〜図２２は、上記の第１の実施形態における図１８（ｂ）に示した紙幣収納工程に代えて実施される工程を示している。本実施形態に係る紙葉類収納庫のその他の構成は第１の実施形態と同じである。
【０１１８】
第１の実施形態では、紙幣収納動作の当初、収納庫６の内部は図１８（ａ）に示す状態であった。紙幣収納動作が開始されると、図１８（ｂ）に示したように、プッシャ４３の上面が水平状態にあるフラッパ上面板４４ａよりも所定距離δだけ上に上がるまで、プッシャ４３がリンク機構５１によって持上げられる。これにより、紙幣Ｍが、フラッパ上面板４４ａよりも上方へ持ち上げられる。次に、プッシャ４３が、図１９（ａ）に示すように初期位置である最下位位置へ下がる。これにより、紙幣Ｍはフラッパ上面板４４ａの上方領域である紙幣収納部Ｓに収納される。こうして、新しく収納した紙幣が既に収納されていた紙幣の下に追加的に集積されることになっていた。
【０１１９】
これに対し、本実施形態では、まず、図１８（ａ）に示す状態から、図２０（ａ）に示すようにフラッパ４４を上昇させる。続いて、図２０（ｂ）に示すようにプッシャ４３を上昇させて、フラッパ下端張出部４４ｂの下方位置で停止させる。次に、図２１（ａ）に示すように、フラッパ４４を降下させる。このとき、まず、保留部Ｑ内に保留されていた紙幣Ｍ１／Ｍ２／…がプッシャ４３の上面に載る。
【０１２０】
そして次に、図２１（ｂ）に示すようにフラッパ４４が支軸４６を中心として回転して開き移動しながら降下し、それまで収納部Ｓに収納されていた紙幣Ｍ０がそれまで保留紙幣であった紙幣Ｍ１／Ｍ２／…の上に載る。その後、フラッパ４４はバネ力等といった弾性力又は自重によって図２２に示すようにフラッパ上面板４４ａが水平となる通常位置へ戻る。次に、プッシャ４３が図１９（ａ）に示す初期位置まで下がり、これにより、紙幣Ｍがフラッパ上面板４４ａの上方領域である紙幣収納部Ｓに収納される。
【０１２１】
（その他の実施形態）
以上、好ましい実施形態を挙げて本発明を説明したが、本発明はその実施形態に限定されるものでなく、請求の範囲に記載した発明の範囲内で種々に改変できる。
例えば、上記実施形態では保留部Ｑをフラッパ上面板４４ａとフラッパ下端張出部４４ｂとによって形成したが、これに代えて、フラッパ下端張出部４４ｂを設けることなく、第３ベルト３８の上の空間領域を保留部Ｑとして使用しても良い。
【０１２２】
上記実施形態では第１紙葉類支持部材としてフラッパ上面板４４ａを用いたが、紙幣Ｍを支持して昇降移動できる部材であれば、その他の構成の部材を用いることもできる。上記実施形態では紙葉類繰出手段として繰出ローラ５８を用いたが、紙幣Ｍを繰り出すことができる部材であれば、その他の構成を用いることもできる。
【０１２３】
上記実施形態では紙葉類導入手段として第１ベルト２８、第２ベルト３６、第３ベルト３８及び昇降移動するプッシャ４３から成るユニットを用いたが、紙幣Ｍを保留部Ｑへ搬送できる構成であれば、その他の構成を採用することができる。上記の実施形態では紙葉類移送手段としてパンタグラフ機構によって昇降移動するプッシャ４３を用いたが、それに代えて、その他の任煮の昇降機構によって昇降移動する任意の形状の部材を用いることもできる。
【符号の説明】
【０１２４】
１．紙幣処理装置（紙葉類処理装置）、  ２．入金口部、  ３．挿入分離部、  ４．搬送部、  ５．識別部、  ６．収納庫、  ６ａ．万円収納庫（紙幣収納庫）、  ６ｂ．千円収納庫（紙幣収納庫）、  ６ｃ．２千円／５千円収納庫（紙幣収納庫）、  ７．出金保留部、  ８．出金口部、  ９．出金リジェクト部、  １０．補充回収庫（紙幣収納庫）、  １１．退避部、  １２．取忘回収庫、  １８．搬送用ベルト、  １９．搬送用ローラ、  ２０． 搬送路切換え爪、  ２３．庫内領域、  ２４．入金口、  ２５．出金口、  ２６．第１ローラ、  ２７．第２ローラ、  ２８．第１ベルト（紙葉類導入手段）、  ２９．上段軸、  ３２．下段軸、  ３３．第３ローラ、  ３４．第４ローラ、  ３５．第５ローラ、  ３６．第２ベルト（紙葉類導入手段）、  ３７．第６ローラ、  ３８．第３ベルト（紙葉類導入手段、保留部）、  ４１．羽根車、  ４１ａ．羽根、  ４３．プッシャ（紙葉類導入手段、紙葉類移送手段）、  ４４．フラッパ（紙葉類持上手段）、  ４４ａ．上面板（第１紙葉類支持部材）、  ４４ｂ．下端張出部（第２紙葉類支持部材）、  ４４ｃ．側板、  ４５．押え板、  ４６．支軸、  ４８．ガイドロッド、   ４９．第１スライダ、  ５０．第２スライダ、  ５１．リンク、  ５４．ピンチローラ、  ５５．押えローラ、  ５６．フィードローラ、  ５７．阻止ローラ、  ５８．繰出ローラ（紙葉類繰出手段）、  ５９．ベルト、  ６０．搬送ベルト、  ６１．紙幣取出し用開口、  ６２．一時保留扉、  ６３．保守用扉、  Ｂ．入金方向、  Ｃ．出金方向、  Ｄ−Ｄ’．幅方向、  Ｊ．初期保留部、  Ｋ０．第３ベルト間の間隔、  Ｋ１．フラッパ上面板間の間隔、  Ｍ．紙幣（紙葉類）、  Ｍ０．既に収納されていた紙幣、  Ｍ１．１枚目、  Ｍ２．２枚目、  Ｐ１，Ｐ２，Ｐ３．フラッパの第１、第２、第３の各位置、  Ｑ．保留部、  Ｒ．紙幣繰出部、  Ｓ．紙幣収納部（紙葉類収納部）、  Ｔ．紙幣導入部、  Ｘ１．収納庫の縦中心線、  α．プッシャのハーフプッシュ時の持上げ高さ、  δ．プッシャのフルプッシュ時の持上げ高さ
【図１】
0005778984.tif 000002
【図２】
0005778984.tif 000003
【図３】
0005778984.tif 000004
【図４】
0005778984.tif 000005
【図５】
0005778984.tif 000006
【図６】
0005778984.tif 000007
【図７】
0005778984.tif 000008
【図８】
0005778984.tif 000009
【図９】
0005778984.tif 000010
【図１０】
0005778984.tif 000011
【図１１】
0005778984.tif 000012
【図１２】
0005778984.tif 000013
【図１３】
0005778984.tif 000014
【図１４】
0005778984.tif 000015
【図１５】
0005778984.tif 000016
【図１６】
0005778984.tif 000017
【図１７】
0005778984.tif 000018
【図１８】
0005778984.tif 000019
【図１９】
0005778984.tif 000020
【図２０】
0005778984.tif 000021
【図２１】
0005778984.tif 000022
【図２２】
0005778984.tif 000023